(57)【要約】【課題】  カバー体を装着することで面倒な掛布団カバーの洗濯回数を減らすことができると共に、カバー体の洗濯が容易にできる寝具カバーを提供すること。【解決手段】  掛布団１の略全体を覆う掛布団カバー２に対して装着し得る寝具カバーであって、少なくとも掛布団カバー２の横幅と略同幅の横幅を有するシート状のカバー体３の縦幅を、掛布団カバー２の縦幅よりも長く設定して、このカバー体３は、掛布団カバー２の裏側に配した際に掛布団カバー２の裏側の下端から上端までを覆い得るように構成すると共に、この際、掛布団カバー２に対するカバー体３の余剰部分３Ａを掛布団カバー２の上端からこの掛布団カバー２の表側の襟元部分に折り返し表出することで襟カバー部３Ａとして配置し得るように構成し、このカバー体３の左右側縁部に、掛布団カバー２の左右側縁部に対して接合する第一の接合手段４を設けると共に、前記襟カバー部３Ａの表出端部に、掛布団カバー２の表側の襟元部分に対して接合する第二の接合手段５を設ける。【選択図】      図２
2005329123.tif 000002
【特許請求の範囲】
【請求項１】
掛布団の略全体を覆う掛布団カバーに対して装着し得る寝具カバーであって、少なくとも掛布団カバーの横幅と略同幅の横幅を有するシート状のカバー体の縦幅を、掛布団カバーの縦幅よりも長く設定して、このカバー体は、掛布団カバーの裏側に配した際に掛布団カバーの裏側の下端から上端までを覆い得るように構成すると共に、この際、掛布団カバーに対するカバー体の余剰部分を掛布団カバーの上端からこの掛布団カバーの表側の襟元部分に折り返し表出することで襟カバー部として配置し得るように構成し、このカバー体の左右側縁部に、掛布団カバーの左右側縁部に対して接合する第一の接合手段を設けると共に、前記襟カバー部の表出端部に、掛布団カバーの表側の襟元部分に対して接合する第二の接合手段を設けたことを特徴とする寝具カバー。
【請求項２】
掛布団の略全体を覆う掛布団カバーと、この掛布団カバーに対して装着し得，少なくとも掛布団カバーの横幅と略同幅の横幅を有すると共に、掛布団カバーの縦幅よりも長い縦幅を有するシート状のカバー体とから成り、前記掛布団カバーの左右側縁部と、前記カバー体の左右側縁部とに互いに接合可能な第一の接合手段を設けると共に、前記掛布団カバーの表側の襟元部分と、前記カバー体の上端部とに互いに接合可能な第二の接合手段を設けたことを特徴とする寝具カバー。
【請求項３】
前記掛布団カバーの左右側縁部と、前記カバー体の左右側縁部とに互いに接合可能な第一のオープンファスナーを設けて前記第一の接合手段を構成し、前記掛布団カバーの表側の襟元部分と、前記カバー体の上端部とに互いに接合可能な第二のオープンファスナーを設けて前記第二の接合手段を構成したことを特徴とする請求項１，２のいずれか１項に記載の寝具カバー。
【発明の詳細な説明】
【技術分野】
【０００１】
本発明は、頻繁に取り外して容易に洗濯可能な寝具カバー（掛布団カバー）に関するものである。
【背景技術】
【０００２】
掛布団カバーを清潔に保つためには、こまめに掛布団からカバーを取り外して洗濯する必要がある。
【０００３】
しかし、掛布団カバーは、例えば、二枚の布を縫い合わせて方形の袋状体とし、一辺あるいは二辺にファスナーを設けた構成であるが、掛布団自体が大型であることもあってこの掛布団に対する装着脱作業には非常に手間がかかり、洗濯を行うことは容易ではなかった。
【０００４】
また、掛布団カバーは、特に襟部分が汚れ易い。そのため、従来から、襟部分だけを着脱可能とした掛布団カバーが実施されており（例えば、特許文献１）、この襟カバー着脱タイプの掛布団カバーにあっては襟カバーだけを取り外して簡単に洗濯できるという利点がある。
【０００５】
【特許文献１】実開昭６０−６３２７３号公報
【発明の開示】
【発明が解決しようとする課題】
【０００６】
しかしながら、上記のような襟カバーが着脱自在に設けられる掛布団カバーは、確かに襟部分を清潔に保つことは簡単であるが、この襟部分を除いた本体カバーの装着脱操作は普通の掛布団カバーとほとんど変わらず容易ではないため、本体カバーはあまり洗濯されず、襟部分だけ清潔でも他の身体に接する部分は多少汚れてもしばらくそのままで使用されているという現状である。
【０００７】
多量の寝具カバーの洗濯を行う宿泊施設でも、襟カバー着脱タイプの寝具カバーを採用しているところがあるが、利用者（客）側から見れば襟カバーは清潔でも、他の身体に接する部分の寝具カバーが、前に誰が使用したかもわからない状態のままで出されていることは、決して気持ちの良いことではない。
【０００８】
本発明は、このような問題点を解決する掛布団カバーを提供することが技術的課題である。
【課題を解決するための手段】
【０００９】
添付図面を参照して本発明の要旨を説明する。
【００１０】
掛布団１の略全体を覆う掛布団カバー２に対して装着し得る寝具カバーであって、少なくとも掛布団カバー２の横幅と略同幅の横幅を有するシート状のカバー体３の縦幅を、掛布団カバー２の縦幅よりも長く設定して、このカバー体３は、掛布団カバー２の裏側に配した際に掛布団カバー２の裏側の下端から上端までを覆い得るように構成すると共に、この際、掛布団カバー２に対するカバー体３の余剰部分３Ａを掛布団カバー２の上端からこの掛布団カバー２の表側の襟元部分に折り返し表出することで襟カバー部３Ａとして配置し得るように構成し、このカバー体３の左右側縁部に、掛布団カバー２の左右側縁部に対して接合する第一の接合手段４を設けると共に、前記襟カバー部３Ａの表出端部に、掛布団カバー２の表側の襟元部分に対して接合する第二の接合手段５を設けたことを特徴とする寝具カバーに係るものである。
【００１１】
また、掛布団１の略全体を覆う掛布団カバー２と、この掛布団カバー２に対して装着し得，少なくとも掛布団カバー２の横幅と略同幅の横幅を有すると共に、掛布団カバー２の縦幅よりも長い縦幅を有するシート状のカバー体３とから成り、前記掛布団カバー２の左右側縁部と、前記カバー体３の左右側縁部とに互いに接合可能な第一の接合手段４を設けると共に、前記掛布団カバー２の表側の襟元部分と、前記カバー体３の上端部とに互いに接合可能な第二の接合手段５を設けたことを特徴とする寝具カバーに係るものである。
【００１２】
また、前記掛布団カバー２の左右側縁部と、前記カバー体３の左右側縁部とに互いに接合可能な第一のオープンファスナー４Ａを設けて前記第一の接合手段４を構成し、前記掛布団カバー２の表側の襟元部分と、前記カバー体３の上端部とに互いに接合可能な第二のオープンファスナー５Ａを設けて前記第二の接合手段５を構成したことを特徴とする請求項１，２のいずれか１項に記載の寝具カバーに係るものである。
【発明の効果】
【００１３】
本発明は上述のように構成したから、掛布団カバーに対して就寝時に人体が触れる部位を略全てカバー体が覆うので、就寝時に掛布団カバーが汚れることを確実に阻止することができ、これにより面倒な掛布団カバーの洗濯回数を減らすことができ、しかも、襟カバー部を含むカバー体は、第一の接合手段と第二の接合手段とにより左右側縁部と襟カバー部とを掛布団カバーに接合できるため、掛布団カバーに対して浮き上がったり位置ズレしたりしないように確実に装着でき、その上、カバー体は掛布団カバーに対して装着脱作業が容易にできるため、頻繁に洗濯して清潔に保つことが容易にできるし、取り外したカバー体は例えば単なる一枚の布であるから、普通の掛布団カバーに比して軽く、干したり取り込んだりする作業も容易に行われることになるなど、極めて実用性に秀れた画期的な寝具カバーとなる。
【００１４】
また、請求項３記載の発明においては、前記作用・効果を確実に発揮する第一の接合手段と第二の接合手段とを簡易に設計実現可能となり、しかも、単にオープンファスナーを開け閉めする操作によって掛布団カバーへの装着脱操作を極めて容易に行うことができるし、例えば面ファスナーとは異なり、オープンファスナーは洗濯しても繊維くずなどが付着しにくいために接合機能が損なわれにくく、製品寿命の長期化が実現するなど、極めて実用性に秀れた構成の寝具カバーとなる。
【発明を実施するための最良の形態】
【００１５】
好適と考える本発明の実施形態（発明をどのように実施するか）を、図面に基づいて本発明の作用を示して簡単に説明する。
【００１６】
カバー体３を、掛布団１に装着した掛布団カバー２の裏側に配すると共に、掛布団カバー２に対するカバー体３の余剰部分３Ａを、掛布団カバー２の上端からこの掛布団カバー２の表側の襟元部分に折り返し表出し、第一の接合手段４によってこのカバー体３の左右側縁部を掛布団カバー２の左右側縁部に接合すると共に、第二の接合手段５によってこのカバー体３の余剰部分３Ａの表出端部を掛布団カバー２の表側の襟元部分に対して接合することで、カバー体３を掛布団カバー２に対して装着できる。
【００１７】
そして、このカバー体３によって掛布団カバー２の裏側の下端から上端までが覆われると共に、掛布団カバー２の表側の襟元部分がカバー体３の余剰部分３Ａたる襟カバー部３Ａによって覆われることになる。
【００１８】
従って、掛布団カバー２に対して就寝時に人体が触れる部位を略全てカバー体３が覆うことになり、このカバー体３によって就寝時に掛布団カバー２が汚れることが阻止されることになるので、手間がかかり面倒で厄介な掛布団カバー２の洗濯の回数を減らせることになる。
【００１９】
また、カバー体３は、左右側縁部と襟カバー部３Ａの表出端部との三箇所が掛布団カバー２に対して接合されるため、掛布団カバー２に対して浮き上がったり位置ズレしたりしない状態で確実に装着されることになる。
【００２０】
カバー体３が汚れたら、第一の接合手段４と第二の接合手段５とを接合解除することで簡単に掛布団カバー２からカバー体３を取り外すことができる。
【００２１】
即ち、このカバー体３は、上記したように掛布団カバー２に対して装着する作業も、取り外す作業も、単に、第一の接合手段４と第二の接合手段５を接合・解除するだけの簡単な作業によって極めて容易に行われることになる。
【００２２】
よって、このように掛布団カバー２に対するカバー体３の着脱作業が容易に行えるため、頻繁に洗濯することが苦にならず、汚れ易い襟カバー部３Ａをはじめ就寝時に身体が触れる全ての部分を清潔に保つことが容易にできる。
【００２３】
また、取り外したカバー体３は、後述する実施例のように例えば単なる一枚の布であるから、掛布団カバー２に比して軽く、洗濯に際して干したり取り込んだりする作業も容易に行われる。
【００２４】
従って、例えば、本発明が宿泊施設で採用されれば、襟カバー部分だけでなく、身体が触れる全ての部位を簡単に清潔に保つことが可能となるので、利用者も確実に不快感なく利用できることになり、特に、このような宿泊施設などでは非常に有用で利用価値の高い画期的な寝具カバーとなる。
【００２５】
また、例えば、前記掛布団カバー２の左右側縁部と、前記カバー体３の左右側縁部とに互いに接合可能な第一のオープンファスナー４Ａを設けて前記第一の接合手段４を構成し、前記掛布団カバー２の表側の襟元部分と、前記カバー体３の上端部とに互いに接合可能な第二のオープンファスナー５Ａを設けて前記第二の接合手段５を構成すれば、前記作用・効果を確実に発揮する第一の接合手段４と第二の接合手段５を簡易に設計実現可能となり、しかも、単にオープンファスナー４Ａ・５Ａを開け閉めする操作によって掛布団カバー２への装着脱操作を極めて容易に行うことができるし、例えば面ファスナーを採用する場合とは異なり、オープンファスナー４Ａ・５Ａは洗濯しても繊維くずなどが付着しにくいために接合機能が損なわれにくく、製品寿命の長期化が実現するなど、極めて実用性に秀れ、商品価値の高い画期的な寝具カバーとなる。
【実施例】
【００２６】
本発明の具体的な実施例について図面に基づいて説明する。
【００２７】
本実施例は、掛布団１の略全体を覆う掛布団カバー２に対して装着し得る寝具カバーを示しているもので、一枚のシート状の布製カバー体３で成る。
【００２８】
具体的に説明すると、カバー体３は、図１に示すように、掛布団カバー２の横幅と略同幅の横幅を有し、且つ縦幅を、掛布団カバー２の縦幅よりも長く設定した方形状に形成している。
【００２９】
従って、このカバー体３は、掛布団カバー２の裏側に配した際に掛布団カバー２の裏側の下端から上端までの略全範囲を覆い得る上、このカバー体３の上部若しくは下部が掛布団カバー２の上端部若しくは下端部に対して外側へ余って突出する余剰部分３Ａとなるように構成しているもので、本実施例では、図２，図４に示すように、このカバー体３の掛布団カバー２に対する余剰部分３Ａを掛布団カバー２の上端部より突出させて掛布団カバー２の表側の襟元部分に折り返し表出することで襟カバー部３Ａとして配置し得るようにしているものである。
【００３０】
更に説明すると、カバー体３の上端側の余剰部分３Ａが掛布団カバー２の上端部から３０〜５０ｃｍ程折り返し表出するようにカバー体３の長さ寸法を設定し、この３０〜５０ｃｍ程の表出余剰部分３Ａが掛布団カバー２の襟元部分を広く覆って確実に襟カバー部３Ａとして機能し得るように構成している。
【００３１】
尚、このカバー体３は、厚手のものでも薄手のものでも良く、また、構成素材についても特に限定しないが、柔らかく肌触りの良いものが望ましい。
【００３２】
また、このカバー体３には、柄やアップリケや刺しゅうを付けたり、着色したりして装飾性を持たせても良い。その際、掛布団カバー２と柄や色を合せても良いし、異ならせても良い。
【００３３】
本実施例は、このカバー体３の左右側縁部に，掛布団カバー２の左右側縁部に対して接合する接合手段４を設けている。
【００３４】
具体的に説明すると、接合手段４は、オープンファスナー４Ａ（ジッパー）による接合構造を採用している。
【００３５】
更に詳しくは、図１〜図３に示すように、カバー体３の左右側縁部にオープンファスナー４Ａの一方を設け（縫着し）、掛布団カバー２の左右側縁部にもう一方のオープンファスナー４Ａを設け（縫着し）て、単にこの夫々のオープンファスナー４Ａ同士をかみ合わせ接合することで、カバー体３の左右側縁部を掛布団カバー２の左右側縁部に接合して位置決め保持し、掛布団カバー２に対してカバー体３を装着できる構成としている。
【００３６】
また、本実施例では、前記襟カバー部３Ａの表出端部に，掛布団カバー２の表側の襟元部分に対して接合する第二の接合手段５を設けている。
【００３７】
具体的に説明すると、第二の接合手段５は、接合手段４と同様にオープンファスナー５Ａによる接合構造を採用している。
【００３８】
更に詳しくは、図１，図２，図４に示すように、襟カバー部３Ａの表出端部たるカバー体３の上端部にオープンファスナー５Ａの一方を設け（縫着し）、掛布団カバー２の表側の襟元部分にもう一方のオープンファスナー５Ａを設け（縫着し）て、単にこの夫々のオープンファスナー５Ａ同士をかみ合わせ接合することで、カバー体３の上端部（襟カバー部３Ａの上端部）を掛布団カバー２の表側の襟元部分に接合して襟カバー部３Ａの折り返し表出状態を位置決め保持できる構成としている。
【００３９】
従って、本実施例では、この接合手段４・５（オープンファスナー４Ａ・５Ａ）により掛布団カバー２とカバー体３の左右側縁部並びに襟元部分との三箇所を接合することで、掛布団カバー２に対しカバー体３を装着できる構成としている。尚、掛布団カバー２とカバー体３とをその左右側縁部（オープンファスナー４Ａ）だけ接合することでも掛布団カバー２に対しカバー体３を装着できるが、オープンファスナー５Ａによって襟元部分も接合した方が、掛布団カバー２に対して一層カバー体３が位置ずれしない状態で装着できることになる。
【００４０】
また、本実施例では、オープンファスナー４Ａ・５Ａのスライド金具の始端位置と終端位置の近傍となるカバー体３位置と、このカバー体３の各位置に対応する掛布団カバー２の各位置とに図示省略のスナップボタンを設け、このスナップボタンを留めておくことによりスライド金具の始端，終端位置にあるカバー体３の端部がめくれず、スライド金具がカバー体３によって目隠し状態となるように構成している。即ち、就寝時にカバー体３の端部がめくれてスライド金具が表出すると、このスライド金具が就寝者に当たって痛みを伴う可能性があるので、これをスナップボタン留めによって防止できる構成としている。
【００４１】
尚、このオープンファスナー４Ａ・５Ａは、カバー体３の厚さに応じて最適な大きさ（細さ、太さ）のものを使用することが望ましい。
【００４２】
また、掛布団カバー２に対して装着時に表側に表出するカバー体３（襟カバー部３Ａ）のオープンファスナー５Ａ部分には、レースやフリルを付けてこのオープンファスナー５Ａを目隠ししても良く、このように構成すると体裁が良好となる。
【００４３】
また、本実施例では、第一の接合手段４と第二の接合手段５とを、いずれもオープンファスナー４Ａ・５Ａによって構成した場合を示したが、例えばスナップボタンによる接合構造や紐留めによる接合構造を採用しても良い。
【００４４】
尚、本実施例の商品の形態（販売形態）としては、カバー体３のみの商品としても良いし、掛布団カバー２とカバー体３とがセットになった商品としても良い。
【００４５】
また、掛布団カバー２の下端の裾部と、カバー体３の下端の裾部とにオープンファスナーやその他の接合手段を設ける構成としても良い。
【００４６】
尚、本発明は、本実施例に限られるものではなく、各構成要件の具体的構成は適宜設計し得るものである。
【図面の簡単な説明】
【００４７】
【図１】本実施例の分解斜視図である。
【図２】本実施例の使用状態を示す斜視図である。
【図３】本実施例の使用状態を示す別角度からの斜視図である。
【図４】本実施例の使用状態における説明側断面図である。
【符号の説明】
【００４８】
１  掛布団
２  掛布団カバー
３  カバー体
３Ａ  襟カバー部（余剰部分）
４  第一の接合手段
４Ａ  第一のオープンファスナー
５  第二の接合手段
５Ａ  第二のオープンファスナー
【図１】
2005329123.tif 000003
【図２】
2005329123.tif 000004
【図３】
2005329123.tif 000005
【図４】
2005329123.tif 000006